(57)【要約】【課題】一面に頁画像を形成した連続紙を格納した後に、連続紙の格納順序を入れ替えることなく、格納した連続紙の他の面に頁画像を形成する。【解決手段】頁管理部４１２は、順序制御部４２４を含み、ＢＭ記憶部４１０による頁画像の記憶が終了すると、順序制御部４２４が制御する順序で頁データを頁単位でＢＭ記憶部４１０から読み出し、出力画像調整部４１４に対して出力する。順序制御部４２４は、印刷面の指示がロール紙２６の表面又は裏面のいずれであるかを判定し、判定結果に応じて頁データの読み出しと出力の順序を制御する。順序制御部４２４は、分割されていないジョブに対して、ロール紙２６の裏面に印刷する指示を受け入れた場合、頁画像の順序を入れ替えて頁番号の降順に頁管理部４１２が頁データを読み出して出力するように頁データの順序を制御する。【選択図】図５
2010069672.tif 000002
【特許請求の範囲】
【請求項１】
連続紙の一面に頁画像を形成する頁画像形成手段と、
この頁画像形成手段に連続紙を供給する第１の給紙手段と、
前記頁画像形成手段が頁画像を形成した連続紙を格納する格納手段と、
この格納手段が格納した連続紙の他の面に前記頁画像形成手段が頁画像を形成可能なように、前記格納手段が格納した連続紙を格納順序とは逆の順序で前記頁画像形成手段に供給する第２の給紙手段と、
を有する印刷装置。
【請求項２】
前記第１の給紙手段が連続紙を供給する場合には、連続紙の一面に奇数頁又は偶数頁の頁画像を昇順又は降順に前記頁画像形成手段が形成し、前記第２の給紙手段が連続紙を供給する場合には、連続紙の他の面に未形成の偶数頁又は奇数頁の頁画像を、前記第１の給紙手段が連続紙を供給する場合とは逆の順序となる降順又は昇順に前記頁画像形成手段が形成するように、前記頁画像形成手段の頁画像形成順序を制御する順序制御手段をさらに有する
請求項１記載の印刷装置。
【請求項３】
前記頁画像形成手段が形成する頁画像に対してとじ方向を設定するとじ方向設定手段と、
このとじ方向設定手段の設定に基づいて、前記頁画像形成手段が連続紙のいずれかの面に形成する頁画像の向きを、頁画像ごとに１８０度回転させるよう制御する画像方向制御手段と、
をさらに有する請求項１又は２記載の印刷装置。
【請求項４】
ページ記述言語を取得する取得手段と、
この取得手段が取得したページ記述言語を頁画像に変換する頁画像変換手段と、
この頁画像変換手段が変換した頁画像の１頁分以上のデータを記憶する記憶手段と、
前記取得手段が取得したページ記述言語の全てを前記頁画像変換手段が変換した場合の総頁画像のデータサイズを算出するサイズ算出手段と、
このサイズ算出手段が算出したデータサイズと前記記憶手段が一度に記憶可能なデータサイズとを比較する比較手段と、
この比較手段の比較結果に基づいて、前記頁画像変換手段により一度に変換される総頁画像のデータサイズが、前記記憶手段の記憶可能なデータサイズ以下となるように、前記取得手段が取得したページ記述言語を分割する分割手段と、
をさらに有し、
前記頁画像形成手段は、
前記比較手段の比較結果に基づいて、前記分割手段が分割したページ記述言語を前記頁画像変換手段が個別に変換した頁画像を連続紙に順次に形成する
請求項１乃至３いずれか記載の印刷装置。
【発明の詳細な説明】
【技術分野】
【０００１】
本発明は、印刷装置に関するものである。
【背景技術】
【０００２】
特許文献１は、印刷を開始する際に前回の印刷時の印刷設定を印刷設定格納部から読み出し、記憶装置にスプールされている印刷データの印刷設定をジョブテーブルから読み出し、印刷設定格納部と同じ印刷設定の印刷データを優先的に印刷する画像形成装置を開示する。
【０００３】
【特許文献１】特開２００７−１３６９５２号公報
【発明の開示】
【発明が解決しようとする課題】
【０００４】
本発明は、一面に頁画像を形成した連続紙を格納した後に、連続紙の格納順序を入れ替えることなく、格納した連続紙の他の面に頁画像を形成することができる印刷装置を提供することを目的とする。
【課題を解決するための手段】
【０００５】
上記目的を達成するため、請求項１に係る本発明は、連続紙の一面に頁画像を形成する頁画像形成手段と、この頁画像形成手段に連続紙を供給する第１の給紙手段と、前記頁画像形成手段が頁画像を形成した連続紙を格納する格納手段と、この格納手段が格納した連続紙の他の面に前記頁画像形成手段が頁画像を形成可能なように、前記格納手段が格納した連続紙を格納順序とは逆の順序で前記頁画像形成手段に供給する第２の給紙手段と、を有する印刷装置である。
【０００６】
請求項２に係る本発明は、前記第１の給紙手段が連続紙を供給する場合には、連続紙の一面に奇数頁又は偶数頁の頁画像を昇順又は降順に前記頁画像形成手段が形成し、前記第２の給紙手段が連続紙を供給する場合には、連続紙の他の面に未形成の偶数頁又は奇数頁の頁画像を、前記第１の給紙手段が連続紙を供給する場合とは逆の順序となる降順又は昇順に前記頁画像形成手段が形成するように、前記頁画像形成手段の頁画像形成順序を制御する順序制御手段をさらに有する請求項１記載の印刷装置である。
【０００７】
請求項３に係る本発明は、前記頁画像形成手段が形成する頁画像に対してとじ方向を設定するとじ方向設定手段と、このとじ方向設定手段の設定に基づいて、前記頁画像形成手段が連続紙のいずれかの面に形成する頁画像の向きを、頁画像ごとに１８０度回転させるよう制御する画像方向制御手段と、をさらに有する請求項１又は２記載の印刷装置である。
【０００８】
請求項４に係る本発明は、ページ記述言語を取得する取得手段と、この取得手段が取得したページ記述言語を頁画像に変換する頁画像変換手段と、この頁画像変換手段が変換した頁画像の１頁分以上のデータを記憶する記憶手段と、前記取得手段が取得したページ記述言語の全てを前記頁画像変換手段が変換した場合の総頁画像のデータサイズを算出するサイズ算出手段と、このサイズ算出手段が算出したデータサイズと前記記憶手段が一度に記憶可能なデータサイズとを比較する比較手段と、この比較手段の比較結果に基づいて、前記頁画像変換手段により一度に変換される総頁画像のデータサイズが、前記記憶手段の記憶可能なデータサイズ以下となるように、前記取得手段が取得したページ記述言語を分割する分割手段と、をさらに有し、前記頁画像形成手段は、前記比較手段の比較結果に基づいて、前記分割手段が分割したページ記述言語を前記頁画像変換手段が個別に変換した頁画像を連続紙に順次に形成する請求項１乃至３いずれか記載の印刷装置である。
【発明の効果】
【０００９】
請求項１に係る本発明によれば、一面に頁画像を形成した連続紙を格納した後に、連続紙の格納順序を入れ替えることなく、格納した連続紙の他の面に頁画像を形成することができる。
【００１０】
請求項２に係る本発明によれば、請求項１に係る本発明の効果に加えて、頁順に製本可能な頁画像を連続紙に形成することができる。
【００１１】
請求項３に係る本発明によれば、請求項１又は２に係る本発明の効果に加えて、設定されたとじ方向に応じた向きの頁画像を連続紙に形成することができる。
【００１２】
請求項４に係る本発明によれば、請求項１乃至３いずれかに係る本発明の効果に加えて、取得したページ記述言語の全てを頁画像に変換した結果を記憶する記憶手段を有していなくても、連続紙に頁画像を形成することができる。
【発明を実施するための最良の形態】
【００１３】
次に本発明の実施形態を図面に基づいて説明する。
図１において、本発明の実施形態に係る印刷装置１が例示されている。印刷装置１は、例えばメインフレーム１０、ユーザインターフェイス装置を備えたホストＰＣ１２及び後処理装置１４がネットワーク１６を介して画像形成装置２に接続されることにより構成されている。メインフレーム１０及びホストＰＣ１２は、例えば画像形成信号（ジョブ）などを画像形成装置２に対して送信し、ロール紙などの連続紙に画像形成装置２が頁画像を形成するように制御する。後処理装置１４は、例えばロール紙の両面にそれぞれ形成された複数の頁画像に合わせてロール紙を切断することにより、切断したロール紙を用いた製本等を可能にする。
【００１４】
図２は、画像形成装置２の構成を例示する構成図であって、（Ａ）はロール紙の表面に頁画像を形成する場合の構成図であり、（Ｂ）はロール紙の裏面に頁画像を形成する場合の構成図である。
図２（Ａ）に示すように、画像形成装置２は、例えば、画像形成ユニット２０、給紙装置２２及びスタック（格納）装置２４を有する。
給紙装置２２は、画像形成されていないロール紙（連続紙）２６を画像形成ユニット２０に対して供給する。スタック装置２４は、画像形成ユニット２０により画像形成が行われた後のロール紙２６を巻き取ることにより格納する。ここで、ロール紙２６は、給紙装置２２及びスタック装置２４に対して着脱自在にされている。
【００１５】
画像形成ユニット２０には、例えばタッチパネルなどの入出力装置であるユーザインターフェイス（ＵＩ）装置２００と、Ｙ（イエロー），Ｍ（マゼンタ），Ｃ（シアン），Ｋ（黒）の各色毎にそれぞれ独立して構成された感光体ドラム２０２ａ〜２０２ｄと、定着器２０４と、制御部３とが備えられている。画像形成ユニット２０は、例えばメインフレーム１０又はホストＰＣ１２（図１）から複数頁の頁画像を形成する画像形成信号を受け入れると、制御部３の制御により、感光体ドラム２０２ａ〜２０２ｄそれぞれをレーザ光により照射することにより感光体ドラム２０２ａ〜２０２ｄ上に静電潜像をそれぞれ形成する。そして、感光体ドラム２０２ａ〜２０２ｄ上に形成された静電潜像は、現像器（図示せず）により各色のトナーで現像され、ロール紙２６の下側面（内側面）に転写される。そして、ロール紙２６に転写された複数頁のトナー画像は、定着器２０４によりロール紙２６に定着される。
【００１６】
また、画像形成装置２は、図２（Ｂ）に示すように、表面（ロール紙２６の内側面）に頁画像が形成されてスタック装置２４が格納したロール紙２６の裏面に画像形成ユニット２０が頁画像を形成する場合、図２（Ａ）に示した給紙装置２２に代えて反転給紙装置２８が設けられる。反転給紙装置２８は、給紙装置２２とは逆方向に回転してロール紙２６を送り出す送出部２０５と、ロール紙２６の外側面を感光ドラム２０２ａ〜２０２ｄに対向させるように反転させる反転ロール２０６とを具備し、内側面に表面の頁画像が形成されたロール紙２６の外側面を下側に向けて画像形成ユニット２０に供給する。
【００１７】
なお、反転給紙装置２８は、給紙装置２２及びスタック装置２４とは異なる装置であってもよく、給紙装置２２に反転ロール２０６が付加されて構成されてもよいし、反転可能なスタック装置２４に反転ロール２０６が付加されて構成されてもよい。また、反転給紙装置２８と給紙装置２２とが同一の装置であり、反転給紙装置２８が給紙装置２２として用いられる場合には、反転ロール２０６が使用されないようにされていてもよい。また、反転給紙装置２８とスタック装置２４とが同一の装置であり、反転給紙装置２８がスタック装置２４として用いられる場合には、反転給紙装置２８が逆回転してロール紙２６を格納し、反転ロール２０６が使用されないようにされていてもよい。
【００１８】
図３は、画像形成装置２がロール紙２６の両面にそれぞれ複数の頁画像を形成した結果を示す斜視図であり、（Ａ）はロール紙２６を外側から見た斜視図であり、（Ｂ）はロール紙２６を内側から見た斜視図である。
図３に示すように、ロール紙２６は、両面にそれぞれ複数の頁画像が形成されると、外側に表面の頁画像が端部（ロール紙先頭）から昇順に配置され、内側に裏面の頁画像が端部から昇順に配置される。そして、ロール紙２６は、外側に奇数頁の頁画像が端部から昇順に配置され、内側に偶数頁の頁画像が端部から昇順に配置されて、上述した後処理装置１４がロール紙２６を切断した順に製本することができるようにされている。
【００１９】
制御部３は、例えば図４に示すように、ＣＰＵ３０、メモリ３２、ハードディスクドライブ（ＨＤＤ）等の記憶装置３４及びデータの送受信を行う通信インタフェース（ＩＦ）３６が制御バス３８を介して相互に接続されることにより構成され、画像形成装置２を構成する各部を制御する。なお、制御バス３８には、例えば上述したＵＩ装置２００も接続されている。
【００２０】
ＣＰＵ３０は、メモリ３２または記憶装置３４に格納されたプログラムに基づいて所定の処理を実行し、制御部３の動作を制御する。また、プログラムをメモリ３２や記憶装置３４から提供するのではなく、当該プログラムをＣＤ−ＲＯＭ等の記録媒体に格納して提供することも可能である。この記録媒体は磁気ディスク、半導体メモリまたはその他の記録媒体であってもよい。
【００２１】
通信ＩＦ３６は、メインフレーム１０及びホストＰＣ１２と画像形成装置２とを接続する通信インターフェイスである。例えば、通信ＩＦ３６は、ホストＰＣ１２が送信するページ記述言語（Page Description Language：ＰＤＬ）などの画像形成信号を受信し、ＣＰＵ３０に対して出力する。ＣＰＵ３０は、ＰＤＬを受信すると、予め定められた形式のＰＤＬに変換して解析し、Ｙ（イエロー），Ｍ（マゼンタ），Ｃ（シアン），Ｋ（黒）の各色の頁画像（ページイメージ）を例えばメモリ３２上に展開（形成）し、感光ドラム２０２ａ〜２０２ｄ上に各色の静電潜像がそれぞれ形成されるように、画像形成ユニット２０を構成する各部を制御するようにされている。
【００２２】
図５は、制御部３が実行する画像処理プログラム４の構成を示すプログラム構成図である。
図５に示すように、画像処理プログラム４は、入力管理部４００、ＰＤＬ取得部（Ｉｎスプール）４０２、ジョブ管理部４０４、ＰＤＬフィルタ４０６、頁画像変換部４０８、ＢＭ記憶部（Ｏｕｔスプール）４１０、頁管理部４１２、出力画像調整部４１４及び出力制御部４１６から構成される。
なお、画像処理プログラム４は、例えばＣＩＰ４（The International Cooperation for the Integration of Processes in Prepress, Press, and Postpress）のＪＤＦ（Job Definition Format）に対応している。
【００２３】
入力管理部４００は、メインフレーム１０又はホストＰＣ１２が出力する例えばポストスクリプト（PostScript：登録商標）などのページ記述言語（ＰＤＬ）を受け入れ、順次にＰＤＬ取得部４０２に対して出力する。ＰＤＬ取得部４０２は、例えば１ジョブ分（先頭頁から最終頁までに対応）のＰＤＬを取得し、記憶する。
【００２４】
ジョブ管理部４０４は、サイズ算出部４１８及び比較部４２０を含み、ＰＤＬ取得部４０２が記憶したＰＤＬに関する処理を管理（制御）する。サイズ算出部４１８は、ＰＤＬ取得部４０２が記憶した１ジョブ分の全てのＰＤＬを頁画像変換部４０８が例えばビットマップイメージなどの頁画像に変換した場合の総頁画像のデータサイズを算出する。比較部４２０は、サイズ算出部４１８が算出したデータサイズとＢＭ記憶部４１０が一度に記憶可能なデータサイズとを比較する。なお、比較部４２０は、ＢＭ記憶部４１０の記憶容量が予め設定されている。
【００２５】
ＰＤＬフィルタ４０６は、分割部４２２を含み、ジョブ管理部４０４の制御によってＰＤＬ取得部４０２に１ジョブ分のＰＤＬが記憶されたことを受信すると、ＰＤＬ取得部４０２からＰＤＬを読み出し、ＰＤＬを頁画像に変換する処理を頁画像変換部４０８に対して依頼する。また、ＰＤＬフィルタ４０６は、頁画像変換部４０８が変換した頁画像に頁管理情報を付加し、ＢＭ記憶部４１０に対して出力する。
【００２６】
ここで、分割部４２２は、ＰＤＬフィルタ４０６がＰＤＬ取得部４０２からＰＤＬを読み出す場合に、例えばＵＩ装置２００を介して設定される印刷面（ロール紙２６の表面又は裏面のいずれか）及び比較部４２０の比較結果に応じて、頁画像変換部４０８により一度に変換される総頁画像のデータサイズが、ＢＭ記憶部４１０の記憶可能なデータサイズ以下となるように、ＰＤＬ取得部４０２が記憶したＰＤＬ（ジョブ）を分割する。例えば、分割部４２２は、ＰＤＬ取得部４０２が記憶した１ジョブ分の全てのＰＤＬの総頁画像のデータサイズを、ＢＭ記憶部４１０が記憶可能なデータサイズで除算（小数点以下は切り上げ）してジョブの分割数を算出し、ＰＤＬ（ジョブ）を分割する。また、分割部４２２は、分割したジョブそれぞれの総頁画像のデータサイズをＢＭ記憶部４１０が記憶可能なデータサイズ以下とし、且つ、分割したジョブそれぞれの総頁数が略同じになるようにジョブの分割数を決定するようにされてもよい。例えば、各頁画像それぞれのデータサイズが略同じである場合、ジョブの総頁数を分割数で除算して、分割したジョブそれぞれの総頁画像のデータサイズがＢＭ記憶部４１０の記憶可能なデータサイズ（記憶容量）以下となるように、分割したジョブごとの頁数を決定してもよい。
【００２７】
そして、ＰＤＬフィルタ４０６は、ジョブを分割した場合には、分割した各ジョブを降順に（後側のジョブから前側のジョブへ順次に）頁画像変換するように頁画像変換部４０８に対して依頼し、頁画像に変換された後側のジョブから順次に頁管理情報を付加し、ＢＭ記憶部４１０に対して出力する。
【００２８】
頁画像変換部４０８は、ＰＤＬフィルタ４０６から依頼（出力）されるＰＤＬを頁画像に変換し、変換した頁画像をＰＤＬフィルタ４０６に対して出力する。例えば、頁画像変換部４０８は、ＣＰＳＩ（Configurable PostScript Interpreter）などであり、ポストスクリプトなどのＰＤＬをビットマップデータ（頁画像）に変換するＲＩＰ（Raster Image Processor）の機能を有する。
【００２９】
ＢＭ（ビットマップ）記憶部４１０は、ＰＤＬフィルタ４０６が出力する頁管理情報を付加された頁画像を記憶する（画像出力用のスプール）。なお、ＢＭ記憶部４１０は、ＰＤＬフィルタ４０６がジョブを分割しない場合には１ジョブ分の全ての頁画像を記憶し、ＰＤＬフィルタ４０６がジョブを分割した場合には分割されたジョブごとに頁画像を記憶する。
以下、ＢＭ記憶部４１０が記憶した１頁単位のデータ（頁画像）を頁データと記述することがある。
【００３０】
頁管理部４１２は、順序制御部４２４を含み、ＢＭ記憶部４１０による頁画像の記憶が終了（画像出力用のスプーリングが完了）すると、順序制御部４２４が制御する順序で頁データを頁単位でＢＭ記憶部４１０から読み出し、出力画像調整部４１４に対して出力する。
順序制御部４２４は、例えばＵＩ装置２００などを介して入力される印刷面の指示がロール紙２６の表面又は裏面のいずれであるかを判定し、判定結果に応じて頁データの読み出しと出力の順序を制御する。例えば、順序制御部４２４は、ロール紙２６の表面に印刷する指示を受け入れた場合、頁画像の順序を入れ替えることなく頁番号の昇順に頁管理部４１２が頁データを読み出して出力するように頁データの順序を制御する。また、順序制御部４２４は、分割されていないジョブに対して、ロール紙２６の裏面に印刷する指示を受け入れた場合、頁画像の順序を入れ替えて頁番号の降順に頁管理部４１２が頁データを読み出して出力するように頁データの順序を制御する。また、順序制御部４２４は、分割されたジョブに対して、ロール紙２６の裏面に印刷する指示を受け入れた場合、分割されたジョブごとに頁画像の順序を入れ替えて頁番号の降順に頁管理部４１２が頁データを読み出して出力するように頁データの順序を制御する。
【００３１】
出力画像調整部４１４は、とじ方向設定部４２６、とじ方向判定部４２８及び画像方向制御部４３０を含み、頁管理部４１２から受け入れた頁データに対し、例えばＵＩ装置２００などを介して入力される画像の配置情報などに応じて、頁データを画像形成ユニット２０の座標空間（出力画像調整部４１４が管理するビットマップメモリ）に展開（貼り付け）し、最終的な頁画像（ロール紙２６に転写されるビットマップイメージ）を生成し、出力制御部４１６に対して出力する。
【００３２】
とじ方向設定部４２６は、例えばＵＩ装置２００などを介して入力される製本時のとじ位置（とじ方向）情報などに応じて、頁データそれぞれに対するとじ方向を設定する。とじ方向判定部４２８は、例えばＵＩ装置２００などを介して入力される印刷面の指示がロール紙２６の表面又は裏面のいずれであるかを判定し、ロール紙２６の裏面に印刷する指示であると判定した場合、とじ方向設定部４２６が設定したとじ方向がロール紙２６の搬送方向に対して例えば平行であるか否か（直交であるか）を判定し、判定結果を画像方向制御部４３０に対して出力する。画像方向制御部４３０は、とじ方向判定部４２８の判定結果に応じて、例えば製本時の画像の向きが予め定められた方向に揃えられるように、例えば頁画像の向きを１８０度回転させるよう制御する。
【００３３】
出力制御部４１６は、出力画像調整部４１４から受け入れた最終的な頁画像が頁ごとに感光ドラム２０２ａ〜２０２ｄにそれぞれ静電潜像として形成されるように、最終的な頁画像を画像形成ユニット２０内に出力する。
【００３４】
次に、制御部３が画像処理プログラム４を実行した場合の画像形成装置２の動作例について説明する。
図６は、制御部３が画像処理プログラム４を実行した場合の画像形成装置２の第１の動作例（Ｓ１０）を示すフローチャートである。なお、画像形成装置２の第１の動作例は、１つのジョブの全てのＰＤＬを変換した総頁画像のデータサイズがＢＭ記憶部４１０の記憶可能なデータサイズよりも小さい場合を示している。
【００３５】
図６に示すように、ステップ１００（Ｓ１００）において、ＣＰＵ３０は、メインフレーム１０又はホストＰＣ１２から送信されたジョブの種類が例えばポストスクリプト（ＰＳ）などの指定されたＰＤＬであるか否かを判定し、指定されたＰＤＬである場合にはＳ１０２の処理に進み、その他の場合には処理を終了する。
【００３６】
ステップ１０２（Ｓ１０２）において、順序制御部４２４は、例えばＵＩ装置２００などを介して入力される印刷面の指示がロール紙２６の表面又は裏面のいずれであるかを判定し、裏面に印刷する指示であると判定した場合にはＳ１０４の処理に進み、表面に印刷する指示であると判定した場合にはＳ１０６の処理に進む。
【００３７】
ステップ１０４（Ｓ１０４）において、頁管理部４１２は、ＢＭ記憶部４１０より頁データを降順（最終頁から）読み出す。
【００３８】
ステップ１０６（Ｓ１０６）において、頁管理部４１２は、ＢＭ記憶部４１０より頁データを昇順（先頭頁から）読み出す。
【００３９】
ステップ１０８（Ｓ１０８）において、とじ方向判定部４２８は、例えばＵＩ装置２００などを介して入力される印刷面の指示がロール紙２６の表面又は裏面のいずれであるかを判定し、裏面に印刷する指示であると判定した場合にはＳ１１０の処理に進み、表面に印刷する指示であると判定した場合には処理を終了する。
【００４０】
ステップ１１０（Ｓ１１０）において、とじ方向判定部４２８は、頁データのとじ方向がロール紙２６の搬送方向に対して平行であるか否かを判定し、例えばとじ方向がロール紙２６の搬送方向に対して平行である場合にはＳ１１２の処理に進み、平行でない場合には処理を終了する。
【００４１】
ステップ１１２（Ｓ１１２）において、画像方向制御部４３０は、頁画像を１８０度回転させる。
【００４２】
図７は、制御部３が画像処理プログラム４を実行した場合の印刷面に対する頁画像の向きを模式的に例示した模式図である。
図７において、頁画像形成可能範囲（ページ）５は、ロール紙２６の搬送方向に平行な方向が短辺となるカット紙に相当する。図７（Ａ）に示すようにロール紙２６の表面に表面（フロント：Ｆ）画像５０を形成し、とじ方向がロール紙２６の搬送方向に対して直交する方向（長辺とじ）である場合、ロール紙２６の裏面に形成する裏面（バック：Ｂ）画像５２は、図７（Ｂ）に示すようにロール紙２６の搬送方向と一致する。
【００４３】
また、図７（Ｃ）に示すようにロール紙２６の表面に表面（フロント：Ｆ）画像５０を形成し、とじ方向がロール紙２６の搬送方向に対して平行な方向（短辺とじ）である場合、ロール紙２６の裏面に形成する裏面（バック：Ｂ）画像５２は、図７（Ｄ）に示すようにロール紙２６の搬送方向に対して１８０度回転させられる。
【００４４】
図８は、制御部３が画像処理プログラム４を実行した場合の画像形成装置２の第２の動作例（Ｓ２０）を示すフローチャートである。なお、画像形成装置２の第２の動作例は、１つのジョブの全てのＰＤＬを変換した総頁画像のデータサイズがＢＭ記憶部４１０の記憶可能なデータサイズよりも小さい場合に加えて、全てのＰＤＬを変換した総頁画像のデータサイズがＢＭ記憶部４１０の記憶可能なデータサイズ以上の場合も含む。
【００４５】
図８に示すように、ステップ２００（２００）において、ＣＰＵ３０は、比較部４２０の比較結果に応じて、１つのジョブの総頁画像のデータサイズがＢＭ記憶部４１０の記憶容量よりも大きいか否かを判定し、大きい場合にはＳ２０６の処理に進み、その他の場合にはＳ２０２の処理に進む。
【００４６】
ステップ２０２（Ｓ２０２）において、ＰＤＬフィルタ４０６は、ジョブの全ての頁画像をＢＭ記憶部４１０に対して出力する。
【００４７】
ステップ２０４（Ｓ２０４）において、制御部３は、例えば図６に示したＳ１０の動作などを行い、最終的な頁画像の形成処理を行う。
【００４８】
ステップ２０６（Ｓ２０６）において、分割部４２２は、ジョブの分割数Ｎを算出する。
【００４９】
ステップ２０８（Ｓ２０８）において、ＣＰＵ３０は、分割したジョブごとに読み出し開始頁を算出する。例えば、分割数Ｎが３の場合、ＣＰＵ３０は、１番目の分割されたジョブの開始頁を１とし、例えば２番目及び３番目の分割ジョブの開始頁を下式１，２によって算出する。
２番目の分割ジョブの開始頁＝総頁数÷３        ・・・（１）
３番目の分割ジョブの開始頁＝総頁数÷３×２    ・・・（２）
ただし、ＣＰＵ３０は、各開始頁の値が整数となり、且つ、分割されたジョブごとの総頁画像のデータサイズがＢＭ記憶部４１０の記憶容量を超えないように、上式１，２の演算結果を処理する。
【００５０】
ステップ２１０（Ｓ２１０）において、ＰＤＬフィルタ４０６は、Ｎ番目の分割ジョブの開始頁から終了頁までの頁画像をＢＭ記憶部４１０に対して出力する。
【００５１】
ステップ２１２（Ｓ２１２）において、制御部３は、例えば図６に示したＳ１０の動作などを行い、最終的な頁画像の形成処理を行う。
【００５２】
ステップ２１４（Ｓ２１４）において、ＣＰＵ３０は、分割数Ｎの値をＮ−１に置き換える（Ｎ＝Ｎ−１）。
【００５３】
ステップ２１６（Ｓ２１６）において、ＣＰＵ３０は、Ｓ２１４の処理で置き換えたＮの値が１よりも小さいか否かを判定し、Ｎの値が１よりも小さい場合には処理を終了し、その他の場合にはＳ２１０の処理に進む。
【００５４】
次に、画像形成装置２の変形例について説明する。
図９は、画像形成装置２の変形例の構成を例示する構成図であって、（Ａ）はロール紙の表面に頁画像を形成する場合の構成図であり、（Ｂ）はロール紙の裏面に頁画像を形成する場合の構成図である。
なお、画像形成装置２の変形例において、図２に示した画像形成装置２を構成する部分と実質的に同一のものには、同一の符号が付してある。
【００５５】
画像形成装置２の変形例は、図９（Ｂ）に示すように、表面（ロール紙２６の内側面）に頁画像が形成されてスタック装置２４が格納したロール紙２６の裏面に画像形成ユニット２０が頁画像を形成する場合、図９（Ａ）に示した給紙装置２２に代えて反転給紙装置２９が設けられる。反転給紙装置２９は、給紙装置２２が送り出すロール紙２６を捻じれさせることにより反転させる捻転部２０８を有する。つまり、反転給紙装置２９は、内側面に表面の頁画像が形成されたロール紙２６の外側面を感光ドラム２０２ａ〜２０２ｄに対向させるように反転させて画像形成ユニット２０に供給する。
【００５６】
なお、反転給紙装置２９は、給紙装置２２とは異なる装置であってもよく、給紙装置２２に捻転部２０８が付加されて構成されてもよい。また、反転給紙装置２９と給紙装置２２とが同一の装置であり、反転給紙装置２９が給紙装置２２として用いられる場合には、捻転部２０８が使用されないようにされていてもよい。
【００５７】
なお、上記実施形態においては、画像形成装置２が有する制御部３が画像処理プログラム４を実行する場合を例に説明したが、これに限定されることなく、例えばメインフレーム１０又はホストＰＣ１２が制御部３と同じ構成を有して画像処理プログラム４を実行することにより、画像処理システム１がロール紙２６に画像を形成するようにされてもよい。
【図面の簡単な説明】
【００５８】
【図１】本発明の実施形態に係る印刷装置の構成を例示する構成図である。
【図２】画像形成装置の構成を例示する構成図であって、（Ａ）はロール紙の表面に頁画像を形成する場合の構成図であり、（Ｂ）はロール紙の裏面に頁画像を形成する場合の構成図である。
【図３】画像形成装置がロール紙の両面にそれぞれ複数の頁画像を形成した結果を示す斜視図であり、（Ａ）はロール紙を外側から見た斜視図であり、（Ｂ）はロール紙を内側から見た斜視図である。
【図４】制御部の構成を示すブロック図である。
【図５】制御部が実行する画像処理プログラムの構成を示すプログラム構成図である。
【図６】制御部が画像処理プログラムを実行した場合の画像形成装置の第１の動作例（Ｓ１０）を示すフローチャートである。
【図７】制御部が画像処理プログラムを実行した場合の印刷面に対する頁画像の向きを模式的に例示した模式図である。
【図８】制御部が画像処理プログラムを実行した場合の画像形成装置の第２の動作例（Ｓ２０）を示すフローチャートである。
【図９】、画像形成装置の変形例の構成を例示する構成図であって、（Ａ）はロール紙の表面に頁画像を形成する場合の構成図であり、（Ｂ）はロール紙の裏面に頁画像を形成する場合の構成図である。
【符号の説明】
【００５９】
１    印刷装置
１０    メインフレーム
１２    ホストＰＣ
１４    後処理装置
１６    ネットワーク
２    画像形成装置
２０    画像形成ユニット
２２    給紙装置
２４    スタック装置
２６    ロール紙
２８，２９    反転給紙装置
２００    ＵＩ装置
２０２ａ〜２０２ｄ    感光ドラム
２０４    定着器
２０６    反転ロール
２０８    捻転部
３    制御部
３０    ＣＰＵ
３２    メモリ
３４    記憶装置
３６    通信ＩＦ
３８    制御バス
４    画像処理プログラム
４００    入力管理部
４０２    ＰＤＬ取得部
４０４    ジョブ管理部
４０６    ＰＤＬフィルタ
４０８    頁画像変換部
４１０    ＢＭ記憶部
４１２    頁管理部
４１４    出力画像調整部
４１６    出力制御部
４１８    サイズ算出部
４２０    比較部
４２２    分割部
４２４    順序制御部
４２６    とじ方向設定部
４２８    とじ方向判定部
４３０    画像方向制御部
５    頁画像形成可能範囲（ページ）
５０    表面画像
５２    裏面画像
【図１】
2010069672.tif 000003
【図２】
2010069672.tif 000004
【図３】
2010069672.tif 000005
【図４】
2010069672.tif 000006
【図５】
2010069672.tif 000007
【図６】
2010069672.tif 000008
【図７】
2010069672.tif 000009
【図８】
2010069672.tif 000010
【図９】
2010069672.tif 000011